(57)【特許請求の範囲】
【請求項１】
蓋を本体に開閉自在に装着し、前記蓋側に設けたフックを本体側に係合させ得るようにした炊飯ジャーにおいて、前記フックを本体側に係合する方向に付勢するための弾撥手段を、線バネとし、この線バネを左右対称的に前方に突出した形状とし、その途中を左右対称的な外突弧状に湾曲させるとともに、線バネの中央部分をリング部が形成されるごとく折曲し、前記リング部を前記フックに形成した鉤状のボスに嵌入させ、この線バネの両端を蓋の下面に備えられている蓋リングの左右一対のバネ受で保持したことを特徴とする炊飯ジャー。
【発明の詳細な説明】
【０００１】
【発明の属する技術分野】
本発明は、炊飯ジャーの蓋側に設けたフックを本体側に係合する方向に付勢するための弾撥手段に関するものである。
【０００２】
【従来の技術】
従来、蓋を閉めるために蓋側に設けたスライド式のフックを本体側に係合させるようにした炊飯ジャーにおいて、フックを本体側に係合する方向に付勢するための弾撥手段として、通常、圧縮バネが用いられている（例えば、特許文献１参照）。
【０００３】
【特許文献１】
特開２００２−２６２９９４号公報（第３頁、図６及び図７）
【０００４】
【発明が解決しようとする課題】
このように、圧縮バネが通常用いられるのは、圧力式、圧力式でないにかかわらず、炊飯ジャーの蓋をきっちり閉めることができるだけの弾撥力を前記フックに付与させるためである。
しかしながら、この圧縮バネはコストが高い。また、圧縮バネのコイル状の部分を収容するためのスペース、すなわち、コイル状のねじり部分を収容するための径方向の大きさ分のスペースを必要とするため、炊飯ジャーのコンパクト化に限りがあった。特に、蓋と放熱板を薄くて軽いものとした炊飯ジャーでは、前記スペースをできるだけ小さくすることが望まれている。
本発明は、このような欠点を解消することができる炊飯ジャーを提供することである。
【０００５】
【課題を解決するための手段】
本発明は、従来用いられているコイル状の圧縮バネに代わる弾撥手段を採用することによって、上記目的を達成するようにしたものである。すなわち、本発明では、蓋３を本体１に開閉自在に装着し、前記蓋３側に設けたフック７を本体１側に係合させ得るようにした炊飯ジャーにおいて、前記フック７を本体１側に係合する方向に付勢するための弾撥手段として、線バネ８を用い、この線バネ８を左右対称的に前方に突出した形状とし、その途中を左右対称的な外突弧状に湾曲させるとともに、線バネ８の中央部分をリング部8bが形成されるごとく折曲し、前記リング部8bを前記フック７に形成した鉤状のボス7cに嵌入させ、この線バネ８の両端を蓋３の下面に備えられている蓋リング3aの左右一対のバネ受10，10で保持する。
この線バネ８は従来の圧縮バネに比べてコストが安いため、コスト面で有利である。また、この線バネ８を用いることで、圧縮バネを用いた場合に必要とされていた収容スペースを形成する必要がないため、炊飯ジャーのコンパクト化を図ることができる。
【０００６】
線バネ８を左右対称的に前方に突出した形状とし、その途中を左右対称的な外突弧状に湾曲させてあるので、蓋３側に設けたフック７を本体１側に係合する方向に付勢するための弾撥力が十分保持され、使用時に不都合は無い。
【０００７】
左右対称的な外突弧状に湾曲させてある線バネ８の中央部分を、リング部8bが形成されるごとく折曲し、前記リング部8bを前記フック７に形成した鉤状のボス7cに嵌入させ、この線バネ８の両端を蓋３の下面に備えられている蓋リング3aの左右一対のバネ受10，10で保持しているので、線バネ８の弾撥力が十二分に確保されるのみならず、線バネ８が上下に動くことなく安定した平面的なバネ作用をするから、安定した弾撥力を発揮でき、また、線バネ８の中央部分が弾撥作用時に上に抜けるのを防止できる。
【０００８】
【発明の実施の形態】
本発明の好ましい実施の形態を、添付の図面に基いて詳細に説明する。
図１は、本発明に係る炊飯ジャーの一例を示す全体の斜視図、図２は、図１に示す炊飯ジャーの側面図、図３は、図１に示す炊飯ジャーの蓋を開けた状態を示す斜視図である。
【０００９】
図１〜図３に示す炊飯ジャーは、胴1aと底1bとで構成される本体１の内部に釜２を収容し、この釜２の上端開放面を蓋３の下面に装着されている放熱板４で閉塞し、釜２を本体１内に収容されているヒータなどの加熱手段（図示しない）で加熱することにより、炊飯の調理を行う形式のものである。炊飯ジャーの加熱制御などの操作は、本体１の正面に配置した各種の操作ボタン1d，1dの操作によって行う。炊飯時に発生する蒸気は、蒸気孔５から器外に排出される。
蓋３は、図２に示すように、ヒンジピン６により本体１に開閉自在に装着されており、このヒンジピン６を中心として蓋３を開閉することができる。
【００１０】
一方、蓋３にはスライド式のフック７が備えられ、このフック７の先端の鉤部7aを本体１の一部である胴1aの前端部内側に形成した係合段部1c（図４、図５、図７参照）に係合させ得るようにしてある。このフック７の先端の鉤部7aが前記係合段部1cに係合する方向に付勢するための弾撥手段として、フック７の後方には線バネ８が備えられている。
また、蓋３にはフック解除レバー９が備えられ、その一部9aと前記フック７の垂直壁7bとを係合させてある。このフック解除レバー９の基部9bを手指で図４の上側に引き上げると、フック解除レバー９はピン9cを中心として図４の向きに対し反時計方向にわずかに回動し、フック７を後方（図４の右方、図７(a)の矢印方向）にスライドさせ、その先端の鉤部7aと前記係合段部1cとの係合を解くことができる（図７(b)参照）。この状態で蓋３を開けることができる。逆に、フック解除レバー９の基部9bから手指を離すと、前記線バネ８の弾撥力によりフック７の先端の鉤部7aを再び前記係合段部1cに係合させることができる。
フック解除レバー９の左右にはピン9c，9cが形成されており、両ピン9c，9cを蓋３の下面に備えられている蓋リング3aのピン受9d（図５）に嵌入することにより、上述したようにフック解除レバー９を回動可能ならしめることができる。
なお、図５、図７に示すように、蓋リング3aには様々なリブ3bが形成され、強度の向上が図られている。
【００１１】
線バネ８は十分な弾撥力を有する１本の線材を折曲することによって形成することができる。例えば、図５〜図７に示すように、左右対称的に前方に突出した形状とし、その途中を左右対称的な外突弧状に湾曲させてある。そして、この線バネ８の中央部分を前記フック７に係合させ、その両端は蓋３の下面に備えられている蓋リング3aの左右一対のバネ受10，10で保持されている。
この湾曲部8aを有する形状とすることにより、蓋３に設けたフック７を本体１の係合段部1cに係合する方向に付勢するための弾撥力が十分保持され、使用時に不都合は無い。
【００１２】
なお、左右一対の前記バネ受10，10には、図６において拡大断面して示すように、線バネ８の両端付近を保持し得る溝10a，10aが形成されており、この溝10a，10aに線バネ８の両端付近が嵌まり込み、左右対称的な外突弧状の線バネ８の両端付近を両側から安定して保持している。
【００１３】
また、図６、図７に示すように、左右対称的な外突弧状に湾曲させてある線バネ８の中央部分を、リング部8bが形成されるごとく折曲し、このリング部8bを前記フック７に形成した鉤状のボス7c（図６に、フック７の一部を裏側から見た状態を示している）に嵌入させてある（図７参照）。
このようにすると、前記弾撥力が十二分に確保されるのみならず、線バネ８が上下に動くことなく安定した平面的なバネ作用をするから、安定した弾撥力を発揮できる。
【００１４】
また、線バネ８のリング部8bは鉤状のボス7cに嵌入させてあるので、弾撥作用をしている線バネ８が、特に、左右対称的な外突弧状に湾曲させてある線バネ８の中央部分が弾撥作用時に上に抜けるのを防止できる。
【００１５】
なお、ここに例示する炊飯ジャーは、図１、図３〜図５に示すように、本体１の正面に透明な合成樹脂で成型されたパネルカバー11が着脱自在に装着されており、通常の使用時においては、本体１の正面側の外表面がこのパネルカバー11によって覆われている。
【００１６】
【発明の効果】
本発明によれば、フックを本体側に係合する方向に付勢するための弾撥手段として線バネが用いられ、この線バネは従来の圧縮バネに比べてコストが安いため、コスト面で有利である。また、この線バネを用いることで、圧縮バネを用いた場合に必要とされていた収容スペースを形成する必要がないため、炊飯ジャーのコンパクト化を図ることができる。
【００１７】
また、線バネを左右対称的に前方に突出した形状とし、その途中を左右対称的な外突弧状に湾曲させてあるから、蓋側に設けたフックを本体側に係合する方向に付勢するための弾撥力が十分保持され、使用時に不都合は無い。
【００１８】
さらに、左右対称的な外突弧状に湾曲させてある線バネの中央部分を、リング部が形成されるごとく折曲し、前記リング部を前記フックに形成した鉤状のボスに嵌入させ、この線バネの両端を蓋の下面に備えられている蓋リングの左右一対のバネ受けで保持してあるから、線バネの弾撥力が十二分に確保されるのみならず、線バネが上下に動くことなく安定した平面的なバネ作用をするから、安定した弾撥力を発揮でき、また、線バネの中央部分が弾撥作用時に上に抜けるのを防止できる。
【図面の簡単な説明】
【図１】  本発明に係る炊飯ジャーの一例を示す全体の斜視図である。
【図２】図１に示す炊飯ジャーの側面図である。
【図３】図１に示す炊飯ジャーの蓋を開けた状態を示す斜視図である。
【図４】図２のＡ部拡大断面図である。
【図５】本発明に係る炊飯ジャーの一部を拡大して例示した斜視図で、蓋の一部を切り欠いて示す。
【図６】  図６の一部をさらに拡大して示す分解斜視図である。
【図７】  線バネの保持状態を説明するための平面図で、(a)は作動前を、(b)は作動後をそれぞれ示す。
【符号の説明】
１…本体、1c…係合段部、３…蓋、3a…蓋リング、７…フック、7a…鉤部、7c…鉤状のボス、８…線バネ、8a…湾曲部、8b…リング部、10…バネ受。
【図１】
0003963841.tif 000002
【図２】
0003963841.tif 000003
【図３】
0003963841.tif 000004
【図４】
0003963841.tif 000005
【図５】
0003963841.tif 000006
【図６】
0003963841.tif 000007
【図７】
0003963841.tif 000008